(57)【要約】【課題】  環境又は人体動作とインタラクティブ効果を奏する有機発光ダイオードモジュールを提供する。【解決手段】  有機発光ダイオードモジュールは、検出ユニットと、信号源スクリーンユニットと、有機発光ダイオードユニットとを含む。検出ユニットは、外部環境の状態に基づいて、対応する検出信号を生成し、信号源スクリーンユニットは、検出信号に基づいて色の出力組合せを提供するかどうかを決め、有機発光ダイオードユニットは、受信した出力組合せに基づいて対応する発光回路を起動することにより、対応する最終発光色を提供する。また、上記有機発光ダイオードモジュールを使用した発光装置及びインタラクティブウォールを提供する。【選択図】図２
2015213065.tif 000002
【特許請求の範囲】
【請求項１】
基板と、多数の発光モジュールとを含む有機発光ダイオード発光装置において、
前記多数の発光モジュールは、前記基板上に配置され、それぞれ、検出ユニットと、信号源スクリーンユニットと、有機発光ダイオードユニットとを含み、
前記検出ユニットは、外部環境の状態を検出し、その検出結果に対応する検出信号を生成し、
前記信号源スクリーンユニットは、それぞれ異なる色の色入力信号を提供する多数の色入力源に電気的に結合されるとともに前記検出信号を受信し、前記検出信号に基づいて前記色入力信号の出力組合せを前記有機発光ダイオードユニットへ出力するかどうかを決定し、
前記有機発光ダイオードユニットは、それぞれ異なる色の光を提供する多数の発光回路を含み、かつ、前記信号源スクリーンユニットに電気的に結合されるとともに前記出力組合せを受信し、前記出力組合せに基づいて前記多数の発光回路のそれぞれの発光を制御することにより対応する最終発光色を提供し、
前記多数の発光モジュールのそれぞれの前記信号源スクリーンユニットが提供する前記出力組合せは、前記信号源スクリーンユニットにおける前記多数の色入力源から少なくとも１つを選ぶことによって生成され、かつ前記多数の発光モジュールが提供する前記最終発光色は、少なくとも２色の発光色を含むことを特徴とする有機発光ダイオード発光装置。
【請求項２】
前記信号源スクリーンユニットは、スクリーン回路と、出力回路とを含み、
前記スクリーン回路は、前記多数の色入力源に電気的に結合され、前記多数の色入力信号をどのように選択するかを決め、前記出力組合せを生成かつ出力し、
前記出力回路は、前記検出信号を受信し、前記スクリーン回路に電気的に結合され、前記出力組合せを受信し、前記検出信号に基づいて、前記出力組合せを外部へ提供するかどうかを決めることを特徴とする請求項１に記載の有機発光ダイオード発光装置。
【請求項３】
前記信号源スクリーンユニットは、出力回路と、スクリーン回路とを含み、
前記出力回路は、前記検出信号を受信し、前記多数の色入力源に電気的に結合され、前記検出信号に基づいて、前記多数の色入力源から受信する前記多数の色入力信号を再度出力するかどうかを決め、
前記スクリーン回路は、前記出力回路に電気的に結合され、前記出力回路が再度出力した前記多数の色入力信号を受信し、かつ前記多数の色入力信号をどのように選択するかを決め、前記出力組合せを生成かつ出力することを特徴とする請求項１に記載の有機発光ダイオード発光装置。
【請求項４】
検出ユニットと、信号源スクリーンユニットと、有機発光ダイオードユニットとを含む有機発光ダイオードモジュールであって、
前記検出ユニットは、外部環境の状態を検出し、その検出結果に対応する検出信号を生成し、
前記信号源スクリーンユニットは、それぞれ異なる色の色入力信号を提供する多数の色入力源に電気的に結合されるとともに前記検出信号を受信し、前記検出信号に基づいて前記色入力信号の出力組合せを前記有機発光ダイオードユニットへ出力するかどうかを決定し、
前記有機発光ダイオードユニットは、それぞれ異なる色の光を提供する多数の発光回路を含み、かつ、前記信号源スクリーンユニットに電気的に結合されるとともに前記出力組合せを受信し、前記出力組合せに基づいて前記多数の発光回路のそれぞれの発光を制御することにより対応する最終発光色を提供することを特徴とする有機発光ダイオードモジュール。
【請求項５】
前記信号源スクリーンユニットは、スクリーン回路と、出力回路とを含み、
前記スクリーン回路は、前記多数の色入力源に電気的に結合され、前記多数の色入力信号をどのように選択するかを決め、前記出力組合せを生成かつ出力し、
前記出力回路は、前記検出信号を受信し、前記スクリーン回路に電気的に結合され、前記出力組合せを受信し、前記検出信号に基づいて、前記出力組合せを外部へ提供するかどうかを決めることを特徴とする請求項４に記載の有機発光ダイオードモジュール。
【請求項６】
前記信号源スクリーンユニットは、出力回路と、スクリーン回路とを含み、
前記出力回路は、前記検出信号を受信し、前記多数の色入力源に電気的に結合され、前記検出信号に基づいて、前記多数の色入力源から受信する前記多数の色入力信号を再度出力するかどうかを決め、
前記スクリーン回路は、前記出力回路に電気的に結合され、前記出力回路が再度出力した前記多数の色入力信号を受信し、かつ前記多数の色入力信号をどのように選択するかを決め、前記出力組合せを生成かつ出力することを特徴とする請求項４に記載の有機発光ダイオードモジュール。
【請求項７】
多数の有機発光ダイオード発光装置を含むカラー有機発光ダイオードインタラクティブウォールであって、
前記多数の有機発光ダイオード発光装置は、それぞれ基板と、多数の発光モジュールとを含み、前記多数の発光モジュールは、前記基板上に配置され、
前記多数の発光モジュールは、それぞれ、検出ユニットと、信号源スクリーンユニットと、有機発光ダイオードユニットとを含み、
前記検出ユニットは、外部環境の状態を検出し、その検出結果に対応する検出信号を生成し、
前記信号源スクリーンユニットは、それぞれ異なる色の色入力信号を提供する多数の色入力源に電気的に結合されるとともに前記検出信号を受信し、前記検出信号に基づいて前記色入力信号の出力組合せを前記有機発光ダイオードユニットへ出力するかどうかを決定し、
前記有機発光ダイオードユニットは、それぞれ異なる色の光を提供する多数の発光回路を含み、かつ、前記信号源スクリーンユニットに電気的に結合されるとともに前記出力組合せを受信し、前記出力組合せに基づいて前記多数の発光回路のそれぞれの発光を制御することにより対応する最終発光色を提供し、
前記多数の発光モジュールが提供する前記最終発光色は、少なくとも２色の発光色を含むことを特徴とするカラー有機発光ダイオードインタラクティブウォール。
【請求項８】
前記信号源スクリーンユニットは、スクリーン回路と、出力回路とを含み、
前記スクリーン回路は、前記多数の色入力源に電気的に結合され、前記多数の色入力信号をどのように選択するかを決め、前記出力組合せを生成かつ出力し、
前記出力回路は、前記検出信号を受信し、前記スクリーン回路に電気的に結合され、前記出力組合せを受信し、前記検出信号に基づいて、前記出力組合せを外部へ提供するかどうかを決めることを特徴とする請求項７に記載のカラー有機発光ダイオードインタラクティブウォール。
【請求項９】
前記信号源スクリーンユニットは、出力回路と、スクリーン回路とを含み、
前記出力回路は、前記検出信号を受信し、前記多数の色入力源に電気的に結合され、前記検出信号に基づいて、前記多数の色入力源から受信する前記多数の色入力信号を再度出力するかどうかを決め、
前記スクリーン回路は、前記出力回路に電気的に結合され、前記出力回路が再度出力した前記多数の色入力信号を受信し、かつ前記多数の色入力信号をどのように選択するかを決め、前記出力組合せを生成かつ出力することを特徴とする請求項７に記載のカラー有機発光ダイオードインタラクティブウォール。
【請求項１０】
前記検出ユニットは、近くに物体が存在しないことを検出した時に、対応する前記有機発光ダイオードユニットが提供する前記最終発光色が白色であるように前記検出信号を生成することを特徴とする請求項７に記載のカラー有機発光ダイオードインタラクティブウォール。
【請求項１１】
前記検出ユニットは、近くに物体が存在しないことを検出した時に、対応する前記有機発光ダイオードユニットが提供する前記最終発光色が黒色であるように前記検出信号を生成することを特徴とする請求項７に記載のカラー有機発光ダイオードインタラクティブウォール。
【発明の詳細な説明】
【技術分野】
【０００１】
本発明は、有機発光ダイオードの応用に関し、特に、有機発光ダイオードモジュール及びそれを使用した発光装置及びインタラクティブウォールに関する。
【背景技術】
【０００２】
有機発光ダイオード（Ｏｒｇａｎｉｃ Ｌｉｇｈｔ Ｅｍｉｔｔｉｎｇ Ｄｉｏｄｅ：ＯＬＥＤ）は、自発光、高輝度、及び液晶ディスプレイ（Ｌｉｑｕｉｄ Ｃｒｙｓｔａｌ Ｄｉｓｐｌａｙ）よりも薄い表示パネルにすることができる等の利点を有するため、業界でますます注目されている。技術発展の方向として、ＯＬＥＤは、可撓性のある軽くて薄い表示パネルへの使用が主流となっている。しかしながら、ＯＬＥＤは、ディスプレイ用途だけでなく、近年、発光効率が徐々に向上しつつあるため、照明領域に応用するように研究が盛んに行われている。ＯＬＥＤは、低駆動電圧及び高節電効率（低消費電圧）等の利点を有し、加えて高速応答、軽量、薄型、及び簡単な構造等の優位性があるため、次世代の新しい光源として、現在の主流の照明製品を置き換える可能性がある。
【０００３】
ＯＬＥＤ照明製品は、生産効率（歩留り）が低く、単位当たりの原価が高いため、なかなか一般的な照明製品に大量に応用することができない。このため、ＯＬＥＤの色再現の多様性を利用し、ユーザインタラクティブ機能を持つインテリジェント照明システムを構築して附加価値を向上させることにより、ＯＬＥＤ照明製品の優位性が業界に受け入れられるようにしてきた。
【発明の概要】
【発明が解決しようとする課題】
【０００４】
上記事情に鑑みて、本発明は、ＯＬＥＤを他の形で応用する技術を提供する。
【課題を解決するための手段】
【０００５】
本発明の１つの実施例は、検出ユニットと、信号源スクリーンユニットと、有機発光ダイオードユニットとを含む有機発光ダイオードモジュールを提供する。検出ユニットは、検出した外部環境の状態の結果に基づいて、対応する検出信号を生成する。信号源スクリーンユニットは、それぞれ異なる色の色入力信号を提供する多数の色入力源に電気的に結合されるとともに前記検出信号を受信し、前記検出信号に基づいて前記色入力信号の出力組合せを前記有機発光ダイオードユニットへ出力するかどうかを決定する。有機発光ダイオードユニットは、それぞれ異なる色の光を提供する多数の発光回路を含み、かつ、前記信号源スクリーンユニットに電気的に結合されるとともに出力組合せを受信し、受信した出力組合せに基づいて各発光回路の発光を制御することにより、対応する最終発光色を提供する。
【０００６】
本発明の他の実施例は、基板と、多数の発光モジュールとを含む有機発光ダイオード発光装置を提供する。それらの発光モジュールは、基板上に配置され、各発光モジュールは、検出ユニットと、信号源スクリーンユニットと、有機発光ダイオードユニットとを含む。検出ユニットは、検出した外部環境の状態の結果に基づいて、対応する検出信号を生成する。信号源スクリーンユニットは、それぞれ異なる色の色入力信号を提供する多数の色入力源に電気的に結合されるとともに前記検出信号を受信し、前記検出信号に基づいて前記色入力信号の出力組合せを前記有機発光ダイオードユニットへ出力するかどうかを決定する。有機発光ダイオードユニットは、それぞれ異なる色の光を提供する多数の発光回路を含み、かつ、前記信号源スクリーンユニットに電気的に結合されるとともに出力組合せを受信し、受信した出力組合せに基づいて各発光回路の発光を制御することにより対応する最終発光色を提供する。さらに、各発光モジュールにおける信号源スクリーンユニットが提供する出力組合せは、信号源スクリーンユニットにおける色入力源から少なくとも１つを選ぶことによって生成され、それらの発光モジュールが提供するすべての最終発光色では、少なくとも異なる２色の発光色が存在する。
【０００７】
本発明のさらに他の実施例は、カラー有機発光ダイオードインタラクティブウォールを提供する。カラー有機発光ダイオードインタラクティブウォールは、多数の有機発光ダイオード発光装置を有し、各有機発光ダイオード発光装置は、基板と、多数の発光モジュールとを含む。発光モジュールは、基板上に配置され、各発光モジュールは、検出ユニットと、信号源スクリーンユニットと、有機発光ダイオードユニットとを含む。検出ユニットは、検出した外部環境の状態の結果に基づいて、対応する検出信号を生成する。信号源スクリーンユニットは、それぞれ異なる色の色入力信号を提供する多数の色入力源に電気的に結合されるとともに前記検出信号を受信し、前記検出信号に基づいて前記色入力信号の出力組合せを前記有機発光ダイオードユニットへ出力するかどうかを決定する。有機発光ダイオードユニットは、それぞれ異なる色の光を提供する多数の発光回路を含み、かつ、前記信号源スクリーンユニットに電気的に結合されるとともにそれが提供する出力組合せを受信し、受信した出力組合せに基づいて、各発光回路の発光を制御することにより、異なる発光回路の発光組合せより対応する最終発光色を提供する。さらに、上記各発光モジュールが提供する最終発光色では、少なくとも異なる２色の発光色が存在する。
【発明の効果】
【０００８】
本発明は、ＯＬＥＤと検出器とを組み合わせて使用することにより、環境又は人体動作とインタラクティブ効果を奏することができる。さらに、ＯＬＥＤの使用温度範囲が広く、また製造工程が簡単なため、室内外の壁や、窓枠の装飾として大量に使用することができる。さらに、周りの環境とのインタラクションにより、いつでも外観が変化することで、生活環境を美化する効果を奏する。
【図面の簡単な説明】
【０００９】
【図１】本発明の１つの実施例に係るカラー有機発光ダイオードインタラクティブウォールを示す回路ブロック図である。
【図２】本発明の１つの実施例に係るＯＬＥＤ発光装置を示す回路ブロック図である。
【図３Ａ】本発明の１つの実施例に係る信号源スクリーンユニットを示す回路ブロック図である。
【図３Ｂ】本発明の他の実施例に係る信号源スクリーンユニットを示す回路ブロック図である。
【図３Ｃ】本発明のさらに他の実施例に係る信号源スクリーンユニットを示す回路ブロック図である。
【図４】本発明の１つの実施例に係るＯＬＥＤユニットを示す回路ブロック図である。
【発明を実施するための形態】
【００１０】
以下、本発明について、実施形態とともにより詳細に説明する。但し、以下に示す実施形態は、本発明の好ましい実施形態を示すことを目的としており、本発明は、以下の実施形態に限定解釈されるべきではない。
【００１１】
先ず、図１は、本発明の１つの実施例に係るカラー有機発光ダイオード（Ｏｒｇａｎｉｃ Ｌｉｇｈｔ Ｅｍｉｔｔｉｎｇ Ｄｉｏｄｅ：ＯＬＥＤ）インタラクティブウォール１０を示す回路ブロック図である。本実施例において、カラーＯＬＥＤインタラクティブウォール１０は、多数のＯＬＥＤ発光装置、例えば、ＯＬＥＤ発光装置１００、１１０、１２０、１３０及び１４０を含む。各ＯＬＥＤ発光装置は、多数の発光モジュールを提供する。本実施例において、ＯＬＥＤ発光装置１００は、多数の発光モジュール１０２、ＯＬＥＤ発光装置１１０は、多数の発光モジュール１１２、ＯＬＥＤ発光装置１２０は、多数の発光モジュール１２２、ＯＬＥＤ発光装置１３０は、多数の発光モジュール１３２、ＯＬＥＤ発光装置１４０は、多数の発光モジュール１４２を含む。
【００１２】
次に、図面を参照しながら各ＯＬＥＤ発光装置の回路構造をさらに説明する。図２は、本発明の１つの実施例に係るＯＬＥＤ発光装置を示す回路ブロック図である。本実施例において、ＯＬＥＤ発光装置２０は、多数の発光モジュール、例えば、発光モジュール２００、２１０、２２０及び２３０を含む。上記発光モジュール２００〜２３０は、基板２５上に配置される。本実施例における各発光モジュール２００、２１０、２２０及び２３０は、回路構造が同一であるため、図２では、発光モジュール２００の詳細回路ブロック図のみを示す。ここでは、簡略化のため、他の発光モジュール２１０、２２０及び２３０の回路構造は省略する。
【００１３】
図２に示す実施例において、発光モジュール２００は、１つの検出ユニット２０２と、１つの信号源スクリーンユニット２０４と、１つのＯＬＥＤユニット２０６とを含む。他に、発光モジュール２００は、色入力源Ｒ、Ｇ、Ｂが提供する色入力信号を受信することもできる。そのうち、色入力源Ｒが提供する色入力信号は、赤色原色を表し、色入力源Ｇが提供する色入力信号は、緑色原色を表し、また、色入力源Ｂが提供する色入力信号は、青色原色を表す。この分野の当業者が理解するように、色入力源が提供する色入力信号は、それぞれ赤、緑、青の三原色を表す必要がない。ここで説明したのは入力信号の一例に過ぎず、実際の需要に応じて調整することができる。
【００１４】
本実施例において、検出ユニット２０２は、外部環境の状態を検出するために用いられる。例えば、検出ユニット２０２は、検出ユニット２０２の近くに物体が存在するかどうかを検出することができる。言い換えれば、検出ユニット２０２は、検出できる範囲内において物体が存在するかどうかを判断するものである。もし検出ユニット２０２の近くに物体の存在を検出できない場合は、検出ユニット２０２は、第１情報を示す検出信号ＳＳを生成する。一方、もし検出ユニット２０２の近くに物体の存在を検出した場合は、検出ユニット２０２は、第２情報を示す検出信号ＳＳを生成する。後続の回路の働きのため、検出ユニット２０２は、物体の存在を検出した場合と、検出しなかった場合とで生成する検出信号ＳＳは、それぞれ異なる情報を示さなければならない。すなわち、上記第１情報と上記第２情報とは、異なる情報でなければならない。例えば、第１情報を示す検出信号ＳＳは、一定期間継続する低電位を示す信号であり、第２情報を示す検出信号ＳＳは、一定期間継続する高電位を示す信号であってよい。あるいは、第１情報を示す信号は、数値０を表す波形の組合せで構成される信号であり、第２情報を示す信号は、数値１を表す波形の組合せで構成される信号等であってもよい。可能な組合せは多数あるが、ここではその説明を省略する。
【００１５】
さらに、検出ユニット２０２は、任意の種類の検出装置から構成されてよい。例えば、異なる検出距離又は検出対象に基づいて、画像感知器、音波感知器、熱感知器又は圧力感知器等を選ぶことができ、それぞれ光と影の状態や、音声の状態、温度の状態あるいはいろんな種類の圧力の状態を感知する。これにより、環境の光と影の分布や、音量、温度の程度、又は押圧される程度などが、予め設定した内容に合致するかどうか判定し、その結果に基づいて、異なる情報を示す検出信号ＳＳを提供する。さらに、発光モジュール２００〜２３０としては、すべて同じ検出装置で構成される検出ユニットを用いてよく、又は、異なる検出装置で構成される検出ユニットを用いて多様な変化を検出してもよい。
【００１６】
検出ユニット２０２が生成する上記検出信号ＳＳは、信号源スクリーンユニット２０４に提供される。他に、信号源スクリーンユニット２０４は、さらに上記色入力源Ｒ、Ｇ、Ｂに電気的に結合され、出力組合せＣＳをＯＬＥＤユニット２０６へ提供する。本実施例において、信号源スクリーンユニット２０４は、受信した検出信号ＳＳに基づいて、出力組合せＣＳをＯＬＥＤユニット２０６へ提供するかどうかを決める。
【００１７】
以下、当業者に信号源スクリーンユニット２０４をより理解してもらうため、図面を参照しながら、信号源スクリーンユニット２０４を詳しく説明する。
【００１８】
図３Ａは、本発明の１つの実施例に係る信号源スクリーンユニット２０４ａを示す回路ブロック図である。図３Ａに示すように、信号源スクリーンユニット２０４ａは、１つのスクリーン回路３００ａと、１つの出力回路３１０ａとを含む。スクリーン回路３００ａは、図２に示す色入力源Ｒ、Ｇ、Ｂに電気的に結合され、かつ色入力源Ｒ、Ｇ、Ｂが提供する色入力信号をどのように選択するかを決め、上記出力組合せＣＳを生成かつ出力する。出力回路３１０ａは、スクリーン回路３００ａに電気的に結合され、スクリーン回路３００ａが出力する出力組合せＣＳを受信する。さらに、出力回路３１０ａは、上記検出信号ＳＳをも受信し、かつ検出信号ＳＳが示す状態に基づいて、受信した出力組合せＣＳを外部、つまり、図２に示すＯＬＥＤユニット２０６へ提供するかどうかを決める。
【００１９】
もう１つの実施例において、図３Ｂは、本発明の他の実施例に係る信号源スクリーンユニットを示す回路ブロック図である。信号源スクリーンユニット２０４ｂは、信号源スクリーンユニット２０４ａと異なる信号処理ロジックを有する。図３Ｂに示すように、信号源スクリーンユニット２０４ｂは、１つの出力回路３００ｂと、１つのスクリーン回路３１０ｂとを含む。図３Ａに示す回路と異なり、出力回路３００ｂは、上記色入力源Ｒ、Ｇ、Ｂに電気的に結合され、色入力源Ｒ、Ｇ、Ｂが提供する色入力信号を受信する。また、出力回路３００ｂは、上記検出信号ＳＳをも受信し、かつ検出信号ＳＳの内容に基づいて、受信した色入力信号をスクリーン回路３１０ｂへ再度出力するかどうかを決める。本実施例において、出力回路３００ｂから出力される色入力信号Ｓ１、Ｓ２及びＳ３は、それぞれ、色入力源Ｒ、Ｇ、Ｂが提供する色入力信号に対応する。スクリーン回路３１０ｂは、出力回路３００ｂに電気的に結合され、色入力信号Ｓ１、Ｓ２及びＳ３を受信し、かつ受信した色入力信号Ｓ１、Ｓ２及びＳ３をどのように選択するかを決め、上記出力組合せＣＳを生成かつ出力する。
【００２０】
上記２つの実施例において、色入力信号をどのように選択するかを決めて出力組合せＣＳを生成するメカニズムは、ソフトウェア、ハードウェア又はファームウェアを用いて完成させることができる。また、決めるタイミングは、事前設定、乱数決定又はランダム調整等のいずれを用いてよい。例えば、事前設定したソフトウェアプログラムにより、事前に記憶しておいたルックアップテーブルに基づいて、各信号源スクリーンユニット２０４ａ又は２０４ｂがどのように色入力信号を選択するかを決め、出力組合せＣＳを生成する。
【００２１】
又、図３Ｃは、本発明のさらに他の実施例に係る信号源スクリーンユニット２０４ｃを示す回路図である。信号源スクリーンユニット２０４ｃにおいて、色入力源Ｒから色入力信号Ｓ１を出力する回路までの間で１つのスイッチを挿入し、検出信号ＳＳが示す情報により上記スイッチを導通するかどうかを決める。同じように、色入力源Ｇから色入力信号Ｓ２を出力する回路までの間で、また色入力源Ｂから色入力信号Ｓ３を出力する回路までの間で、それぞれ１つのスイッチを挿入し、検出信号ＳＳが示す情報によりそれらのスイッチを導通するかどうかを決める。留意すべきは、同一の信号源スクリーンユニット２０４ｃにおける各スイッチに対する検出信号ＳＳの制御効果は、同一であっても、異なってもよい。例えば、同じ情報を示す検出信号ＳＳであっても、色入力源Ｒから色入力信号Ｓ１を出力する回路までの間のスイッチを導通し、色入力源Ｇから色入力信号Ｓ２を出力する回路までの間のスイッチを導通せず、また、色入力源Ｂから色入力信号Ｓ３を出力する回路までの間のスイッチの導通状態を制御しないようにすることができる。最終的に、色入力信号Ｓ１、Ｓ２及びＳ３からなる信号は、信号源スクリーンユニット２０４ｃが出力する出力組合せＣＳになる。
【００２２】
再び図２を参照する。上記信号源スクリーンユニット２０４が出力する出力組合せＣＳは、ＯＬＥＤユニット２０６により受信される。ＯＬＥＤユニット２０６は、受信した出力組合せＣＳに基づいて対応する発光を行う。一般的に、１つのＯＬＥＤユニットは、多数の発光回路を含む。図４は、本発明の１つの実施例に係るＯＬＥＤユニット４０を示す回路ブロック図である。本実施例において、ＯＬＥＤユニット４０は、上記信号源スクリーンユニット２０４に電気的に結合され、出力組合せＣＳ（色入力信号Ｓ１、Ｓ２及びＳ３を含む）を受信する。また、ＯＬＥＤユニット４０は、駆動回路４０２、４０４及び４０６と、発光エリア４０２ａ〜４０２ｄ、４０４ａ〜４０４ｄ及び４０６ａ〜４０６ｄとを含む。ＯＬＥＤユニット４０の１つの発光回路は、駆動回路４０２と発光エリア４０２ａ〜４０２ｄとを含む。上記発光エリア４０２ａ〜４０２ｄは、駆動回路４０２が転送する色入力信号Ｓ１により制御かつ駆動される。また、ＯＬＥＤユニット４０のもう１つの発光回路は、駆動回路４０４と、発光エリア４０４ａ〜４０４ｄとを含む。上記発光エリア４０４ａ〜４０４ｄは、駆動回路４０４が転送する色入力信号Ｓ２により制御かつ駆動される。さらに、ＯＬＥＤユニット４０の３番目の発光回路は、駆動回路４０６と、発光エリア４０６ａ〜４０６ｄとを含む。上記発光エリア４０６ａ〜４０６ｄは、駆動回路４０６が転送する色入力信号Ｓ３により制御かつ駆動される。そのうち、一般的な発光原理に対応するように、本実施例では、発光エリア４０２ａ、４０２ｂ、４０２ｃ及び４０２ｄが駆動されると赤色光を放射し、発光エリア４０４ａ、４０４ｂ、４０４ｃ及び４０４ｄが駆動されると緑色光を放射し、かつ発光エリア４０６ａ、４０６ｂ、４０６ｃ及び４０６ｄが駆動されると青色光を放射するように設計した。このように、ＯＬＥＤユニット４０は、受信した出力組合せＣＳに基づいて、上記発光回路のそれぞれが発光するかどうかを制御することができる。また、発光の色の組合せにより、対応する最終発光色を決定することができる。
【００２３】
実際の応用では、色の多様性を増やすため、各発光モジュールにおける各ＯＬＥＤユニットが提供する最終発光色を異なる色に設計することができる。すなわち、発光モジュールにおける多数のＯＬＥＤユニットが少なくとも２つ以上の最終発光色を提供するように設計することができる。例えば、１つの発光モジュールにおいて、一部のＯＬＥＤユニットの最終発光色を赤色にし、一部のＯＬＥＤユニットの最終発光色を紫色（赤色+青色）にし、また、一部のＯＬＥＤユニットの最終発光色を薄青色（青色+緑色）にすることができる。
【００２４】
さらに、電力の節約を考慮する場合において、検出ユニットは、以下の対応をするようにすることができる。すなわち、環境状態が事前に設定された状態（例えば、人が検出器の近くに存在しない状態等）であると検出すると、生成する検出信号により、対応するＯＬＥＤユニットが発光しないようにする。つまり、ＯＬＥＤユニットの最終発光色を黒色にすることができる。また逆に、環境状態が事前に設定された状態であると検出した場合にＯＬＥＤユニットの最終発光色を白色にしてもよい。また、環境状態が変化し（例えば、人が検出器の近くに存在するようになった場合等）、又は事前に設定された状態でないと検出すると、検出ユニットが生成する検出信号により、対応する信号源スクリーンユニットが上記出力組合せＣＳを提供するようにする。これにより、対応するＯＬＥＤユニットは、発光し、呈すべき最終発光色を一定期間継続して提供する。他の角度から見れば、装飾又は照明の需要を考慮する場合において、環境状態が事前に設定された状態であると検出すると、生成する検出信号により、対応するＯＬＥＤユニットが白色の最終発光色を提供するようにする。また、環境状態が変化した、又は事前に設定された状態でないと検出すると、生成する検出信号により、対応するＯＬＥＤユニットが他の色の最終発光色を提供するようにする。
【００２５】
以上より、上記実施例では、ＯＬＥＤと各種類の検出器とを組み合わせて使用することにより、外部環境又は人体動作とインタラクティブ効果を奏することができる。さらに、ＯＬＥＤの使用温度範囲が広く、また製造工程が簡単なため、室内外の壁や、窓枠の装飾として大量に使用することができる。さらに、周りの環境とのインタラクションにより、いつでも外観が変化することで、生活環境を美化する効果を奏する。
【００２６】
以上説明したのは、本発明の比較的好ましい実施例であって、本発明を制限するためのものではない。添付の特許請求の範囲の精神及び範囲内に含まれる種々の変更や類似の構成は、すべて最も広い解釈によって本発明の保護範囲内に含まれる。
【符号の説明】
【００２７】
１０  カラーＯＬＥＤインタラクティブウォール
２０、１００、１１０、１２０、１３０、１４０  ＯＬＥＤ発光装置
２５  基板
４０、２０６  ＯＬＥＤユニット
１０２、１１２、１２２、１３２、１４２  発光モジュール
２００、２１０、２２０、２３０  発光モジュール
２０２  検出ユニット
２０４、２０４ａ、２０４ｂ、２０４ｃ  信号源スクリーンユニット
３００ａ、３１０ｂ  スクリーン回路
３１０ａ、３００ｂ  出力回路
４０２、４０４、４０６  駆動回路
４０２ａ〜４０２ｄ、４０４ａ〜４０４ｄ、４０６ａ〜４０６ｄ  発光エリア
ＣＳ  出力組合せ
Ｓ１、Ｓ２、Ｓ３  色入力信号
ＳＳ  検出信号
Ｒ、Ｇ、Ｂ  色入力源
【図１】
2015213065.tif 000003
【図２】
2015213065.tif 000004
【図３Ａ】
2015213065.tif 000005
【図３Ｂ】
2015213065.tif 000006
【図３Ｃ】
2015213065.tif 000007
【図４】
2015213065.tif 000008